(57)【要約】【課題】本発明は、外部磁界の影響を除去して高精度の電流の測定を可能にし、電流バーへの取り付けが容易な電流センサの取り付け方法を得ることを目的とする。【解決手段】本発明の電流センサは、第１のセンサ保持部２および第２のセンサ保持部３の延伸方向が第１の電流バー１１の延伸方向に平行であり、第１の電流バー１１が第１のセンサ保持部２と第２のセンサ保持部３とに挟まれる位置に電流センサ取り付けユニットを位置させる第１の段階と、第１のセンサ保持部２および第２のセンサ保持部３の延伸方向が第１の電流バー１１の延伸方向に垂直になるように電流センサ取り付けユニットを回転させて第１の電流バー１１を第１のセンサ保持部２および第２のセンサ保持部３とで挟む第２の段階と、を備えた取り付け方法である。【選択図】図５
2014052232.tif 000002
【特許請求の範囲】
【請求項１】
電流バーを流れる電流により発生する磁界を検出する第１のセンサ部と、
前記電流バーを介して前記第１のセンサ部と対向し、前記電流バーを流れる電流により発生する磁界の向きが、前記第１のセンサ部における向きと逆方向になる位置に配置された第２のセンサ部と、
を備えた電流センサの取り付け方法であって、
前記第１のセンサ部を保持し、一方向に延伸している第１のセンサ保持部と、
前記第２のセンサ部を保持し、前記第１のセンサ保持部と平行に延伸し、前記第１のセンサ保持部と間隔を空けて対向している第２のセンサ保持部と、
前記第１のセンサ保持部の延伸方向および前記第２のセンサ保持部の延伸方向に垂直な方向に延伸し、前記第１のセンサ保持部と前記第２のセンサ保持部とを接続する連結部とを備えた電流センサ取り付けユニットを用い、
前記第１のセンサ保持部および前記第２のセンサ保持部の延伸方向が前記電流バーの延伸方向に平行であり、前記電流バーが前記第１のセンサ保持部と前記第２のセンサ保持部とに挟まれる位置に前記電流センサ取り付けユニットを位置させる第１の段階と、
前記第１のセンサ保持部および前記第２のセンサ保持部の延伸方向が前記電流バーの延伸方向に垂直になるように前記電流センサ取り付けユニットを回転させて前記電流バーを前記第１のセンサ保持部および前記第２のセンサ保持部とで挟む第２の段階と、
を備えた電流センサの取り付け方法。
【請求項２】
前記連結部は前記第１のセンサ保持部および前記第２のセンサ保持部を重ねて見る方向において、前記第１のセンサ保持部および前記第２のセンサ保持部の内側に位置している請求項１記載の電流センサの取り付け方法。
【請求項３】
前記第１のセンサ保持部に前記連結部と反対側の延伸方向に形成され、前記第２のセンサ保持部と反対側の一部を欠落させた第１の先端部を設け、
前記第２のセンサ保持部に前記連結部と反対側の延伸方向に形成され、前記第１のセンサ保持部と反対側の一部を欠落させた第２の先端部を設け、
一方向に延伸する第１の係合部と、前記第１の係合部と平行に延伸し、前記第１の係合部と間隔を空けて対向している第２の係合部と、前記第１の係合部の延伸方向および前記第２の係合部の延伸方向に垂直な方向に延伸し、前記第１の係合部と前記第２の係合部とを接続する接続部とを備えた固定ユニットを用い、
前記第１の係合部および前記第２の係合部の延伸方向を前記電流バーの延伸方向に垂直な方向を向くように前記固定ユニットを配置し、前記固定ユニットを前記電流バーの延伸方向に移動させることにより前記第１の先端部における前記第２のセンサ保持部と反対側の面で前記第１の係合部と係合させ、前記第２の先端部における前記第１のセンサ保持部と反対側の面で第２の係合部と係合させることで前記電流センサ取り付けユニットを前記電流バーに固定する請求項１記載の電流センサの取り付け方法。
【請求項４】
電流バーを流れる電流により発生する磁界を検出する第１のセンサ部と、
前記電流バーを介して前記第１のセンサ部と対向し、前記電流バーを流れる電流により発生する磁界の向きが、前記第１のセンサ部における向きと逆方向になる位置に配置された第２のセンサ部と、
前記第１のセンサ部を保持し、一方向に延伸している第１のセンサ保持部と、前記第２のセンサ部を保持し、前記第１のセンサ保持部と平行に延伸し、前記第１のセンサ保持部と間隔を空けて対向している第２のセンサ保持部と、前記第１のセンサ保持部の延伸方向および前記第２のセンサ保持部の延伸方向に垂直な方向に延伸し、前記第１のセンサ保持部と前記第２のセンサ保持部とを接続する連結部とを備えた電流センサ取り付けユニットと、
を備えた電流センサ。
【発明の詳細な説明】
【技術分野】
【０００１】
本発明は、導体を流れる電流からの磁界を検出することによって電流値の測定を可能にする電流センサの取り付け方法および電流センサに関する。
【背景技術】
【０００２】
電流センサは、導体を流れる電流を測定するセンサとして知られている。電流センサの検出原理としては、電流が作る磁界を検出する方法が知られている。このような磁界を検出することにより電流を測定する方法は、電気回路中に電流センサを電気的に接続する必要がなく、電気回路の電気特性に与える影響が少ないという長所がある。一方、この方法は、地磁気などの外部からの磁界を受けると測定誤差を生じてしまうという短所がある。
【０００３】
この短所を解決する為に、導体を挟むように２つの磁気センサを配置して、この二つの磁気センサの差動出力をとることにより外部磁界の影響を除去する方法が知られている。この電流センサの検出原理をより詳しく説明すると、電流が流れる導体に対し、互いに１８０°反対の方向にそれぞれ磁気センサを配置することで、導体を流れる電流による一方の磁気センサと他方の磁気センサを貫く磁界が、互いに大きさは同じで方向が逆になるようになる。そして、外部磁界はいずれの磁気センサに対しても同じ大きさで同じ向きであるから、この２つの磁気センサの出力の差をとることにより外部磁界の影響を排除する、というものである（特許文献１参照。）。
【０００４】
ところで、電流が流れる導体は、銅線の場合もあるが、剛体である場合もある。特に、ハイブリッド自動車や電気自動車などのモータを駆動する電流を流す為に、電流バーと呼ばれる断面が長方形の板状の金属導体を用いる場合もある。このような導体を流れる電流を測定する電流センサも知られている（特許文献２参照。）。
【先行技術文献】
【特許文献】
【０００５】
【特許文献１】特開昭６３−２５３２６４号公報
【特許文献２】特開平３−２２９１６１号公報
【発明の概要】
【発明が解決しようとする課題】
【０００６】
導体を流れる電流が作り出す磁界は、導体からの距離によって異なることは知られている。従って、特許文献１における電流センサは、導体から２つの磁気センサまでの距離が等しい必要があり、この距離が異なると測定精度を悪化させる要因になってしまう。
【０００７】
また、電流センサを電流バーに取り付ける際に、特許文献２のようにリング状の電流センサの中央の空洞に電流バーを差し込む方法は、電流バーの少なくとも一端が開放されていなければならず、組み立てに制約があり、簡単に取り付けることは出来ない。
【０００８】
本発明は上記従来課題を解決するもので外部磁界の影響を除去して高精度の電流の測定を可能にし、電流バーへの取り付けが容易な電流センサの取り付け方法を提供することを目的とする。
【課題を解決するための手段】
【０００９】
上記目的を達成するために、本発明は以下の手段を有している。
【００１０】
請求項１に記載の発明は、電流バーを流れる電流により発生する磁界を検出する第１のセンサ部と、前記電流バーを介して前記第１のセンサ部と対向し、前記電流バーを流れる電流により発生する磁界の向きが、前記第１のセンサ部における向きと逆方向になる位置に配置された第２のセンサ部と、を備えた電流センサの取り付け方法であって、前記第１のセンサ部を保持し、一方向に延伸している第１のセンサ保持部と、前記第２のセンサ部を保持し、前記第１のセンサ保持部と平行に延伸し、前記第１のセンサ保持部と間隔を空けて対向している第２のセンサ保持部と、前記第１のセンサ保持部の延伸方向および前記第２のセンサ保持部の延伸方向に垂直な方向に延伸し、前記第１のセンサ保持部と前記第２のセンサ保持部とを接続する連結部とを備えた電流センサ取り付けユニットを用い、前記第１のセンサ保持部および前記第２のセンサ保持部の延伸方向が前記電流バーの延伸方向に平行であり、前記電流バーが前記第１のセンサ保持部と前記第２のセンサ保持部に挟まれる位置に前記電流センサ取り付けユニットを位置させる第１の段階と、前記第１のセンサ保持部および前記第２のセンサ保持部の延伸方向が前記電流バーの延伸方向に垂直になるように前記電流センサ取り付けユニットを回転させて前記電流バーを前記第１のセンサ保持部および前記第２のセンサ保持部とで挟む第２の段階と、を備えた電流センサの取り付け方法である。
【００１１】
請求項１に記載の発明は、２つのセンサ部により外部磁界の影響を除去し、しかも電流センサの電流バーへの取り付けが簡単であるという作用効果を有する。
【００１２】
請求項２に記載の発明は、特に、前記連結部は前記第１のセンサ保持部および前記第２のセンサ保持部を重ねて見る方向において、前記第１のセンサ保持部および前記第２のセンサ保持部の内側に位置している特徴を有する。
【００１３】
請求項２に記載の発明は、連結部が第１のセンサ保持部および第２のセンサ保持部より凹んだ構造になるので、電流バーをこの部分に位置させやすくなり、電流バーへの電流センサ取り付けユニットの位置決めが容易になるという作用効果を有する。
【００１４】
請求項３に記載の発明は、特に、前記第１のセンサ保持部に前記連結部と反対側の延伸方向に形成され、前記第２のセンサ保持部と反対側の一部を欠落させた第１の先端部を設け、前記第２のセンサ保持部に前記連結部と反対側の延伸方向に形成され、前記第１のセンサ保持部と反対側の一部を欠落させた第２の先端部を設け、一方向に延伸する第１の係合部と、前記第１の係合部と平行に延伸し、前記第１の係合部と間隔を空けて対向している第２の係合部と、前記第１の係合部の延伸方向および前記第２の係合部の延伸方向に垂直な方向に延伸し、前記第１の係合部と前記第２の係合部とを接続する接続部とを備えた固定ユニットを用い、前記第１の係合部および前記第２の係合部の延伸方向を前記電流バーの延伸方向に垂直な方向を向くように前記固定ユニットを配置し、前記固定ユニットを前記電流バーの延伸方向に移動させることにより前記第１の先端部における前記第２のセンサ保持部と反対側の面で前記第１の係合部と係合させ、前記第２の先端部における前記第１のセンサ保持部と反対側の面で第２の係合部と係合させることで前記電流センサ取り付けユニットを前記電流バーに固定する特徴を有する。
【００１５】
請求項３に記載の発明は、簡単な方法で電流センサ取り付けユニットを電流バーに固定させることができるという作用効果を有する。
【００１６】
請求項４に記載の発明は、電流バーを流れる電流により発生する磁界を検出する第１のセンサ部と、前記電流バーを介して前記第１のセンサ部と対向し、前記電流バーを流れる電流により発生する磁界の向きが、前記第１のセンサ部における向きと逆方向になる位置に配置された第２のセンサ部と、前記第１のセンサ部を保持し、一方向に延伸している第１のセンサ保持部と、前記第２のセンサ部を保持し、前記第１のセンサ保持部と平行に延伸し、前記第１のセンサ保持部と間隔を空けて対向している第２のセンサ保持部と、前記第１のセンサ保持部の延伸方向および前記第２のセンサ保持部の延伸方向に垂直な方向に延伸し、前記第１のセンサ保持部と前記第２のセンサ保持部とを接続する連結部とを備えた電流センサ取り付けユニットとを備えている。
【００１７】
請求項４に記載の発明は、２つのセンサ部により外部磁界の影響を除去し、しかも電流センサの電流バーへの取り付けが簡単であるという作用効果を有する。
【発明の効果】
【００１８】
本発明の電流センサは、外部磁界の影響を除去し、しかも電流センサの電流バーへの取り付けが簡単であるという優れた効果を有するものである。
【図面の簡単な説明】
【００１９】
【図１】本発明の一実施の形態における電流センサ取り付けユニットの斜視図
【図２】本発明の一実施の形態における電流センサ取り付けユニットの断面図
【図３】（ａ）本発明の一実施の形態における電流センサの取り付け方法を示す斜視図、（ｂ）同正面図
【図４】本発明の一実施の形態における電流センサの取り付け方法を示す正面図
【図５】（ａ）本発明の一実施の形態における電流センサの取り付け方法を示す正面図、（ｂ）同斜視図
【図６】（ａ）、本発明の一実施の形態における電流センサの取り付け方法を示す正面図、（ｂ）同斜視図
【図７】本発明の一実施の形態における電流センサの取り付け方法を示す斜視図
【図８】（ａ）本発明の一実施の形態における電流センサ取り付けユニットの正面図、（ｂ）同断面図
【図９】本発明の一実施の形態における電流センサの取り付け方法を示す断面図
【発明を実施するための形態】
【００２０】
（一実施の形態）
本発明の一実施の形態について、図面を用いて説明する。
【００２１】
図１は本発明の一実施の形態における電流センサ取り付けユニットの斜視図、図２は本発明の一実施の形態における電流センサ取り付けユニットの断面図である。
【００２２】
本実施の形態における電流センサは、いずれも磁気を検出する第１のセンサ部７と第２のセンサ部９とを備えて、電流の周りに発生する磁界を第１のセンサ部７と第２のセンサ部９とで検出することにより電流を検出する。第１のセンサ部７と第２のセンサ部９には磁気抵抗素子を用いている。磁気抵抗素子でなくホール素子を用いることも出来るが、その場合には、後述する第１のバイアス磁石８および第２のバイアス磁石１０を不要とすることができる。
【００２３】
第１のセンサ部７の近傍には第１のバイアス磁石８が、第２のセンサ部９の近傍には第２のバイアス磁石１０がそれぞれ設けられている。第１のバイアス磁石８および第２のバイアス磁石１０は、特に第１のセンサ部７および第２のセンサ部９が磁気抵抗素子である場合には、出力の直線性の向上やヒステリシスの低減に貢献する。
【００２４】
電流センサ取り付けユニット１は、第１のセンサ保持部２、第２のセンサ保持部３および連結部４を備えている。第１のセンサ保持部２は、第１のセンサ部７を保持し、さらに第１のバイアス磁石８も保持している。第２のセンサ保持部３は第２のセンサ部９および第２のバイアス磁石１０を保持している。第１のセンサ保持部２は一方向に延伸している。また第２のセンサ保持部３も一方向に延伸しており、その延伸方向は第１のセンサ保持部２と同一方向である。第１のセンサ保持部２と第２のセンサ保持部３は間に空間を挟んで平行に位置している。
【００２５】
連結部４は第１のセンサ保持部２および第２のセンサ保持部３の延伸方向に対する垂直な方向に延伸している円柱形状であり、第１のセンサ保持部２および第２のセンサ保持部３を連結させており、これにより第１のセンサ保持部２、第２のセンサ保持部３および連結部４は一体形状となり電流センサ取り付けユニット１を構成する。
【００２６】
第１のセンサ保持部２の延伸方向、即ち連結部４と連結している側の反対側の先端には第１の先端部５が設けられている。第１の先端部は第１のセンサ保持部２の先端の部分において第２のセンサ保持部３と対向する側の反対側を欠落させることにより得られる。
【００２７】
第２のセンサ保持部３の延伸方向、即ち連結部４と連結している側の反対側の先端には第２の先端部６が設けられている。第２の先端部６は第２のセンサ保持部３の先端の部分において第１のセンサ保持部２と対向する側の反対側を欠落させることにより得られる。
【００２８】
図３（ａ）は、本発明の一実施の形態における電流センサの取り付け方法を示す斜視図、図３（ｂ）は同正面図である。但し、図３（ｂ）においては第３の電流バー１３を省略して記載している。
【００２９】
本実施の形態においては、電流バーは、第１の電流バー１１、第２の電流バー１２および第３の電流バー１３の３本が設けられている。ハイブリッド自動車や電気自動車などに用いるモータは３相であることが多いことを考え、本実施の形態においては３本にしている。
【００３０】
まず、電流センサ取り付けユニット１を第１の電流バー１１と第２の電流バー１２の間に配置させている。このとき、電流センサ取り付けユニット１の延伸方向、即ち、第１のセンサ保持部２および第２のセンサ保持部３の延伸方向を第１の電流バー１１および第２の電流バー１２の延伸方向に対し平行になるように配置させている。
【００３１】
図４は、本発明の一実施の形態における電流センサの取り付け方法を示す正面図である。図３の状態から電流センサ取り付けユニット１を第１の電流バー１１に近づけたものである。このとき、第１のセンサ保持部２および第２のセンサ保持部３により第１の電流バー１１を挟むような位置にしている。言い換えれば、連結部４と第１の電流バー１１の高さを同じになるようにしている。そして、電流センサ取り付けユニット１の延伸方向を第１のセンサ保持部２および第２のセンサ保持部３の延伸方向に対し平行になるように配置させている。この状態が第１の段階である。このとき、電流センサ取り付けユニット１を平面視した際、即ち、図４において紙面の上から見た場合、連結部４を第１のセンサ保持部２および第２のセンサ保持部３の内部に納まるような外形にしていると、図４に示すように、連結部４の幅は第１のセンサ保持部２および第２のセンサ保持部３の幅よりも狭くなり、そこに第１の電流バー１１が係合する形になっている。これにより電流センサ取り付けユニット１の配置の際の位置決めが容易になる。
【００３２】
図５（ａ）は本発明の一実施の形態における電流センサの取り付け方法を示す正面図、図５（ｂ）は同斜視図である。図５（ａ）においては、第３の電流バー１３を省略して記載している。図４の状態から、電流センサ取り付けユニット１を時計回り方向に９０°回転させることにより図５の状態になる。この図５の状態においては、第１のセンサ保持部２および第２のセンサ保持部３の延伸方向は、第１の電流バー１１の延伸方向に対して垂直になっている。そして、第１の電流バー１１は第１のセンサ保持部２および第２のセンサ保持部３に挟まれた状態になっている。この状態が第２の段階である。
【００３３】
この第２の段階において、第１の電流バー１１を流れる電流による磁界は、第１の電流バー１１の周りにループ状に発生しているので、第１の電流バー１１の上側に発生している磁界と下側に発生している磁界は逆方向になる。従って、第１のセンサ部７の配置場所における磁界と第２のセンサ部９の配置場所における磁界とは逆方向となる。また、第１のセンサ部７と第１の電流バー１１との距離および第２のセンサ部９と第１の電流バー１１との距離を等しくしているので、それぞれの位置における磁界の大きさも等しくなる。つまり、第１のセンサ部７の位置における磁界と第２のセンサ部９の位置における磁界とは大きさが同じで方向が逆になっている。一方、地磁気などの外部磁界は、第１のセンサ部７と第２のセンサ部９の位置に対し、同一ベクトルの磁界として検出される。従って、第１のセンサ部７からの出力と第２のセンサ部９からの出力との差をとれば外部磁界の影響を除去した検出値を得ることができる。
【００３４】
以上のようにして第１の電流バー１１に電流センサ取り付けユニット１を取り付けることができる。このような取り付け方法を行なうことで、第１の電流バー１１と第２の電流バー１２との間が狭くても電流センサ取り付けユニット１の取り付けが可能となる。
【００３５】
なお、電流センサ取り付けユニット１の第１の電流バー１１への固定方法については、以下に説明する態様を取り得る。
【００３６】
図６（ａ）は本発明の一実施の形態における電流センサの取り付け方法を示す正面図、図６（ｂ）は同斜視図である。図６（ａ）においては、第３の電流バー１３を省略して記載している。
【００３７】
固定ユニット２０は電流センサ取り付けユニット１の先端に位置する第１の先端部５および第２の先端部６と係合して電流センサ取り付けユニット１を第１の電流バー１１に固定している。固定ユニット２０は第１の係合部２１、第２の係合部２２および接続部２３から構成され、第１の係合部２１は電流センサ取り付けユニット１の第１の先端部５と、第２の係合部２２は第２の先端部６とそれぞれ係合している。これらの係合は、例えば、一方に凸部の突起を、他方にこれと係合する凹部の溝を形成してこれらをはめ合わせるなどの方法がある。
【００３８】
固定ユニット２０は電流センサ取り付けユニット１の第１のセンサ保持部２と第２のセンサ保持部３との間隔を弾性領域で狭めるように形成されている。これにより、第１の電流バー１１を第１のセンサ保持部２と第２のセンサ保持部３により挟み込んで固定している。なお、第１の先端部５において、第１の電流バー１１と対向する面を他の第１のセンサ保持部２の第１の電流バー１１と対向する面よりも後退させて、応力が掛からない状態においては第１の電流バー１１と接しないようにしている。この理由は、固定ユニット２０から受けた力を第１のセンサ保持部２の第１の電流バー１１に対向する面の全体で第１の電流バー１１に押圧させるためである。第２の先端部６においても同様である。
【００３９】
固定ユニット２０を電流センサ取り付けユニット１へ係合させる際には、固定ユニット２０を第１の電流バー１１の延伸方向へ移動させながら行なうと、第１の電流バー１１の周囲との間隔が狭くても係合が可能となる。
【００４０】
図７は、本発明の一実施の形態における電流センサの取り付け方法を示す斜視図である。第２の電流バー１２に第２の電流センサ取り付けユニット３１と第２の固定ユニット３２を取り付け、第３の電流バー１３に第３の電流センサ取り付けユニット３３と第３の固定ユニット３４を取り付けている。これらも第１の電流バー１１、電流センサ取り付けユニット１および固定ユニット２０と同様の関係にある。
【００４１】
図８（ａ）は本発明の一実施の形態における電流センサ取り付けユニットの正面図、図８（ｂ）は同断面図である。図８に示す電流センサ取り付けユニット４１は、図１等に示す電流センサ取り付けユニット１の一部に面取りを施したものである。電流センサ取り付けユニット４１は第１のセンサ保持部４２、第２のセンサ保持部４３、連結部４４からなり、第１のセンサ保持部４２の先端には第１の先端部４５が、第２のセンサ保持部４３の先端には第２の先端部４６が形成されている。第１のセンサ保持部４２の第２のセンサ保持部４３に対向する面に面取りを施している。面取りというのは、２つの平面が交わる稜線部を削ることである。図８においては、第１のセンサ保持部４２の第２のセンサ保持部４３と対向する面と、第２のセンサ保持部４３に対し垂直な方向で第１のセンサ保持部４２の延伸方向に位置する面とが作る稜線部を４５°の角度で削っている。所謂Ｃ面取りである。同様に第２のセンサ保持部４３の第１のセンサ保持部４２に対向する面に面取りを施している。このような面取りを行なうことにより、第１の電流バー１１を第１のセンサ保持部４２と第２のセンサ保持部４３との間に入れる際に導き易くなる。図８においては、４５°の角度の平面を形成するように面取りを行なったが、曲面で形成してもよい。所謂Ｒ面取りである。
【００４２】
図９は本発明の一実施の形態における電流センサの取り付け方法を示す断面図である。図９においては、固定方法としてピンを用いている。
【００４３】
電流センサ取り付けユニット５１は、第１のセンサ保持部５２、第２のセンサ保持部５３および連結部５４を備えており、第１のセンサ保持部５２は、第１のセンサ部５７および第１のバイアス磁石５８を保持している。また、第２のセンサ保持部５３は第２のセンサ部５９および第２のバイアス磁石６０を保持している。第１のセンサ保持部５２には、第１の先端部５５が設けられており、第１の先端部５５には貫通孔６１が形成されている。第２のセンサ保持部５３には、第２の先端部５６が設けられており、第２の先端部５６には圧入孔６２が設けられている。電流バー７０には貫通孔７１が設けられている。固定ピン８０は貫通孔６１および貫通孔７１を通って圧入孔６２にて圧入により固定される。このように、固定ピン８０により電流バー７０を第１のセンサ保持部５２と第２のセンサ保持部５３とにより挟み込むことで固定を行なっている。
【００４４】
なお、固定ピン８０の代わりにビスを用いてもよい。その際には圧入孔６２の代わりにネジ孔を形成する必要がある。固定ピン８０の代わりにボルトとナットを用いて固定してもよい。
【００４５】
また、電流センサ取り付けユニット１は、第１のセンサ保持部２と第２のセンサ保持部３との間隔を第１の電流バー１１の厚みより少し狭くしておき、第１のセンサ保持部２と第２のセンサ保持部３の間に第１の電流バー１１を挿入して、第１のセンサ保持部２と第２のセンサ保持部３の弾性力により第１の電流バー１１を挟み込んで固定する構成にしてもよい。
【産業上の利用可能性】
【００４６】
本発明に係る電流センサの取り付け方法は、電流を測定するためのセンサの取り付け方法として有用である。
【符号の説明】
【００４７】
１  電流センサ取り付けユニット
２  第１のセンサ保持部
３  第２のセンサ保持部
４  連結部
５  第１の先端部
６  第２の先端部
７  第１のセンサ部
８  第１のバイアス磁石
９  第２のセンサ部
１０  第２のバイアス磁石
１１  第１の電流バー
１２  第２の電流バー
１３  第３の電流バー
２０  固定ユニット
２１  第１の係合部
２２  第２の係合部
２３  接続部
３１  第２の電流センサ取り付けユニット
３２  第２の固定ユニット
３３  第３の電流センサ取り付けユニット
３４  第３の固定ユニット
４１  電流センサ取り付けユニット
４２  第１のセンサ保持部
４３  第２のセンサ保持部
４４  連結部
４５  第１の先端部
４６  第２の先端部
５１  電流センサ取り付けユニット
５２  第１のセンサ保持部
５３  第２のセンサ保持部
５４  連結部
５５  第１の先端部
５６  第２の先端部
５７  第１のセンサ部
５８  第１のバイアス磁石
５９  第２のセンサ部
６０  第２のバイアス磁石
６１  貫通孔
６２  圧入孔
７０  電流バー
７１  貫通孔
８０  固定ピン
【図１】
2014052232.tif 000003
【図２】
2014052232.tif 000004
【図３】
2014052232.tif 000005
【図４】
2014052232.tif 000006
【図５】
2014052232.tif 000007
【図６】
2014052232.tif 000008
【図７】
2014052232.tif 000009
【図８】
2014052232.tif 000010
【図９】
2014052232.tif 000011